(57)【特許請求の範囲】
【請求項１】
軸方向に沿ってラック部が形成された支軸を有する支持脚と、
前記ラック部に噛み合わされるねじ部が形成され該ねじ部が前記ラック部に噛み合わされる噛合状態と、該噛合状態が解除される解除状態とに前記支軸が移動可能に挿通される軸穴を有する操作部材と、
前記ねじ部が前記ラック部に噛み合わされる方向に前記操作部材を付勢する付勢部材と、
前記操作部材を回転可能および前記噛合状態と前記解除状態とに移動可能に支持し、前記支軸回りの回転が規制されて支持対象物に固定される支持手段とを備え、
前記支持手段は、
前記操作部材を回転可能に支持する支持部材と、
前記支持部材を前記噛合状態と前記解除状態とに移動可能に支持し、前記支軸回りの回転が規制されて前記支持対象物に固定されるケースとを有し、
前記付勢部材は、前記支持部材を介して前記操作部材を付勢する支持脚調整装置。
【請求項２】
前記付勢部材は、圧縮コイルばねである請求項１に記載の支持脚調整装置。
【請求項３】
前記操作部材は、ナットである請求項１または２に記載の支持脚調整装置。
【請求項４】
請求項１ないし３のいずれか１項に記載の支持脚調整装置を備える電子機器。
【請求項５】
請求項１ないし４のいずれか１項に記載の支持脚調整装置と、
投射面上に映像を投射する投射光学系とを備えるプロジェクタ。
【発明の詳細な説明】
【技術分野】
【０００１】
本発明は、例えばプロジェクタ等の電子機器である支持対象物を設置面に設置する際に、設置面に対する支持対象物の高さや傾きを調整するために使用される支持脚調整装置に関する。
【背景技術】
【０００２】
従来、各種電子機器には、電子機器の設置面に対する電子機器の高さや傾斜角等の位置を調整するために、脚の長さを調整可能な支持脚を有する支持脚調整機構を備えるものがある。
【０００３】
また、特にプロジェクタでは、投射面上の所望の投射位置に投射映像を投射するために、投射面に対して投射光軸を任意の傾斜角に調整するための支持脚調整機構を備えるものが一般になっている。
【０００４】
従来の支持脚調整装置としては、電子機器を支持する支持脚の支軸に係合される操作ボタンが、電子機器の筐体側にスライド可能に設けられた構成が開示されている（例えば、特許文献１参照。）。この従来の支持脚調整装置では、操作ボタンを押し込み操作することで、操作ボタンと支持脚の支軸との係合状態が解除され、支持脚の長さが調整される。
【０００５】
また、従来の他の支持脚調整装置には、電子機器の筐体側にスライド可能に支持された操作ボタンと、支持脚の支軸側に設けられたねじ部とを噛合させて、設置面に当接される支持脚の脚部を回転させることによって微調整を行い、操作ボタンを押し込み操作することによって噛合状態を解除して、一度に大きな調整量を得ることができる構成もある。
【特許文献１】特開平９−２８７６９５号公報
【発明の開示】
【発明が解決しようとする課題】
【０００６】
ところで、上述した従来の支持脚調整装置には、以下に述べる問題点がある。
【０００７】
第１の問題点として、従来の支持脚調整装置は、操作ボタン等を操作することによって支持脚を大きく繰り出して長さを調整した後、支持脚を回転させて微調整する操作時に、支持脚の脚部の形状によって回転操作を行い難い場合がある。
【０００８】
その理由は、支持脚を微調整する際に、支持脚の脚部が設置面である床面付近に位置しているため、電子機器の底面と床面との間の狭い間隙の空間内に手を入れて、支持脚の微調整を行うことになる。このため、支持脚を調整する際に、支持脚の脚部を回転させる手先によって、設置位置から電子機器を誤って移動させてしまったり、設置面から電子機器を手で持ち上げて保持した状態で支持脚の脚部を直接回転操作するので、調整作業を行い難く、作業性が乏しい。
【０００９】
第２の問題点として、従来の電子機器には、操作ボタンと支持脚の脚部とが離れた位置にそれぞれ設けられているため、支持脚の調整作業が煩わしい。その理由は、操作ボタンが例えば電子機器の筐体の側面や正面等に配置されているのに対して、支持脚の脚部が床面近傍に位置しているので、操作ボタンと脚部をそれぞれ操作する際に、手の位置を移動して変える必要があるためである。
【００１０】
第３の問題点として、支持脚を回転操作するだけで、支持脚の長さを連続的に微調整をする構造の場合には、支持脚の脚部の外形が円形状に形成される必要がある。その理由は、設置時の安定性や外観上のデザインを考慮して、支持脚の脚部の外形が例えば長方形状、いわゆる横長や縦長に形成した場合、ねじ方式の調整機構によって支持脚を設置面に対して回転させて微調整する方法では、調整される支持脚の回転量に応じて支持脚の脚部の向きが変化してしまう。このため、支持脚の脚部の外形が長方形状に形成された場合、脚部の向きによって電子機器の設置位置に支障をきたすこともあり、良好に使用することが困難になる。
【００１１】
そこで、本発明は、支持対象物の設置面に対して支持脚を回転させることなく支持脚の長さを調整可能にし、支持脚の長さを調整する際の操作性の向上を図ることができる支持脚調整装置、および電子機器、プロジェクタを提供することを目的とする。
【課題を解決するための手段】
【００１２】
上述した目的を達成するために、本発明に係る支持脚調整装置は、軸方向に沿ってラック部が形成された支軸を有する支持脚と、
ラック部に噛み合わされるねじ部が形成されこのねじ部がラック部に噛み合わされる噛合状態と、この噛合状態が解除される解除状態とに支軸が移動可能に挿通される軸穴を有する操作部材と、
ねじ部がラック部に噛み合わされる方向に操作部材を付勢する付勢部材と、
操作部材を回転可能、かつ噛合状態と解除状態とに移動可能に支持し、支軸回りの回転が規制されて支持対象物に固定される支持手段とを備える。
支持手段は、操作部材を回転可能に支持する支持部材と、支持部材を噛合状態と解除状態とに移動可能に支持し支軸回りの回転が規制されて支持対象物に固定されるケースとを有する。付勢部材は、支持部材を介して操作部材を付勢する。
【００１３】
以上のように構成した本発明に係る支持脚調整装置によれば、付勢部材の付勢力によって操作部材が移動され、操作部材の軸穴に設けられたねじ部と、支持脚の支軸のラック部とが噛み合うことで、支持脚の長さが固定される。そして、付勢部材による付勢力に抗して操作部材を押し込み操作して、ラック部とねじ部との噛合状態を解除することで、支持脚が支軸方向に自由に移動可能になり、支持脚の長さを一度に比較的大きな調整量で粗調整することができる。また、付勢部材の付勢力によるラック部とねじ部との噛合状態で、操作部材を回転操作することで、支持脚のラック部に噛合されている操作部材のねじ部によって、支持脚が支軸方向に移動され、支持脚の長さを微調整することができる。したがって、この支持脚調整装置によれば、支軸回りの回転が規制されて支持対象物に固定されている支持手段に対して、操作部材を押し込み操作および回転操作することで、支持対象物の設置面に対して支持脚を回転させることなく微調整される。
【００１４】
また、本発明に係る電子機器は、上述した本発明の支持脚調整装置を備える。
【００１５】
また、本発明に係るプロジェクタは、上述した本発明の支持脚調整装置と、投射面上に映像を投射する投射光学系とを備える。
【発明の効果】
【００１６】
上述したように本発明に係る支持脚調整装置によれば、操作部材を押し込み操作および回転操作することで、支持脚の長さを容易に調整することが可能になり、調整時の操作性を向上することができる。また、この支持脚調整装置によれば、設置面に対して支持脚を回転させることなく支持脚の長さを調整することが可能になるので、脚部の形状の自由度を向上することができる。
【発明を実施するための最良の形態】
【００１７】
以下、本発明の具体的な実施形態について、図面を参照して説明する。
【００１８】
本実施形態の支持脚調整装置は、投射面上に映像を投射するためのプロジェクタの筐体正面側の２箇所に配設されて、投射面に対する投射光軸の傾斜状態を調整するために使用されるものである。
【００１９】
図１は支持脚調整装置を示す斜視図である。図２は支持脚の噛合状態を上ケースを省略して示す平面図、図３は支持脚の噛合状態を示すＡ−Ａ断面図である。図４は支持脚調整装置を示す分解斜視図、図５は操作部材を示す斜視図である。図６は支持脚の噛合状態が解除された状態を上ケースを省略して示す平面図、図７は支持脚の噛合状態が解除された状態を示すＢ−Ｂ断面図である。
【００２０】
図１、図２および図３に示すように、本実施形態の支持脚調整装置１は、図１中矢印ａ1，ａ2方向に移動可能に設けられた支持脚１０と、この支持脚１０の長さを調整するための調整機構９とを備える。
【００２１】
支持脚１０は、支軸１０ａと、プロジェクタの設置面に当接される脚部１０ｂとを有している。支軸１０ａには、一端部に脚部１０ｂが設けられ、他端部に、軸方向の移動を規制するためのストッパ２０が一体に突出して形成されている。
このストッパ２０によって、支軸１０ａを軸方向に移動させた際に、支持脚１０がケース１１および調整機構９から脱落することが防止されている。また、支軸１０ａの外周部には、調整機構９に噛み合わされるラック部１９が長さ方向に沿って一体に突出して設けられている。また、脚部１０ｂは、外径が支軸１０ａの直径よりも大きくされた略円柱状に形成されている。
【００２２】
調整機構９は、支持脚１０の長さを調整するための操作部材１２と、支持脚１０の支軸１０ａに対して操作部材１２を矢印ｃ1，ｃ2方向に回転可能に支持する支持部材であるスライド部材１５と、このスライド部材１５を矢印ｂ1，ｂ2方向に移動可能に支持するためのケース１１と、操作部材１２を支持脚１０に噛合させる方向に付勢する付勢部材である圧縮コイルばね１６とを備えている。
【００２３】
図５に示すように、操作部材１２は、ラック部１９に噛み合わされるねじ部２１が設けられた軸穴２２を有している。このねじ部２１は、支持脚１０のラック部１９とほぼ同一ピッチで形成されている。軸穴２２の内径は、支軸１０ａの最大外径よりも大きくされており、ラック部１９とねじ部２１とが噛み合わされる噛合位置と、ラック部１９とねじ部２１との噛合状態が解除される解除位置とに移動可能に支軸１０ａが移動可能に挿通されている。この操作部材１２としては、上述したような軸穴２２を有するナットが用いられている。
【００２４】
また、操作部材１２には、軸穴２２の両端に、スライド部材１５に回転自在に支持される円形状のガイド突部２４がそれぞれ一体に設けられている。したがって、操作部材１２は、支持脚１０の支軸１０ａに対してスライド部材１５を介してｂ1，ｂ2方向に押し込み操作可能およびｃ1，ｃ2方向に回転操作可能に設けられている。
【００２５】
ケース１１は、組み合わされる一組の上ケース１３および下ケース１４を有している。これら上ケース１３および下ケース１４には、支軸１０ａが挿通される貫通穴１７，１８がそれぞれ設けられており、これら貫通穴１７，１８の内周部に、ラック部１９が係合される係合溝２５が形成されており、この係合溝２５内にラック部１９が係合されることで、ケース１１が支軸１０ａの軸回りに回転することが規制されている。すなわち、支持脚１０の支軸１０ａは、ケース１１に対して回転されないように構成されている。
【００２６】
また、ケース１１の一側面には、操作部材１２の外周部をケース１１の外方に突出させるための開口２６が設けられている。また、ケース１１には、ｂ1，ｂ2方向に平行な内壁面に、スライド部材１５の移動方向を案内するための複数のガイドリブ３２が対向する位置にそれぞれ設けられており、これらガイドリブ３２によってスライド部材１５がケース１１内で遊動することが規制されている。また、上ケース１３には、プロジェクタ等の電子機器に取り付けて固定するための複数の取り付け用ねじ穴３３がそれぞれ設けられている。
【００２７】
スライド部材１５は、ケース１１内にｂ1，ｂ2方向に移動可能に設けられており、操作部材１２をｃ1，ｃ2方向に回動可能に支持する一対の支持片２８を有している。これら支持片２８には、操作部材１２のガイド突部２４を支持する略Ｕ字状の支持凹部２９が形成されている。また、スライド部材１５の外周部には、圧縮コイルばね１６の内周部に挿通される突部３０が設けられており、この突部３０によって圧縮コイルばね１６の移動が規制されている。
【００２８】
圧縮コイルばね１６は、一端がケース１１の内壁面に突き当てられ、他端がスライド部材１５の外周部に突き当てられている。この圧縮コイルばね１６の付勢力によって、スライド部材１５を介して操作部材１２はｂ1方向に付勢されており、操作部材１２のねじ部２１と支持脚１０のラック部１９とが噛み合わされることで、ケース１１に対して支持脚１０が固定された状態にされる。
【００２９】
以上のように構成された支持脚調整装置１が備える調整機構９について、操作部材１２によって支持脚１０の長さを調整する動作を、図面を参照して説明する。
【００３０】
支持脚１０は、図３に示すように、上ケース１３および下ケース１４の貫通穴１７，１８内に挿通されており、ケース１１に対して回転することなく上下方向であるａ1，ａ2方向に自由に移動することが可能にされている。また、操作部材１２が操作されていない通常時、操作部材１２は、圧縮コイルばね１６の付勢力によってスライド部材１５と共にｂ1方向に移動されており、支持脚１０のラック部１９と操作部材１２のねじ部２１とが噛合されている。
【００３１】
まず、支持脚１０の長さを調整する際、操作部材１２を、圧縮コイルばね１６による付勢力に抗して押し込み操作することで、スライド部材１５と共に圧縮コイルばね１６を弾性変形させてｂ2方向に移動させる。操作部材１２は、ｂ2方向に移動されることで、軸穴２２のねじ部２１が移動され、支持脚１０のラック部１９とねじ部２１との噛合状態が解除される。
【００３２】
支持脚１０のラック部１９と操作部材１２のねじ部２１との噛合状態が解除されることで、支持脚１０をケース１１に対して回転させることなくａ1，ａ2方向に自由に移動させることが可能になる。この状態で、ケース１１に対して支持脚１０を移動させて任意の長さにすることで、設置面に対するプロジェクタの高さを所望の位置付近まで大雑把に粗調整する。
【００３３】
次に、この操作部材１２から指先を離して押し込み操作を解除することで、操作部材１２を支持するスライド部材１５は、圧縮コイルばね１６の弾性力によってｂ1方向に移動される。スライド部材１５の移動に伴って、操作部材１２はｂ1方向に移動され、ねじ部２１と支持脚１０のラック部１９とが再び噛合された噛合状態に固定される。
【００３４】
続いて、操作部材１２をｃ1，ｃ2方向に回転操作することで、支持脚１０のラック部１９に噛合されているねじ部２１が回転されるので、ラック部１９が軸方向に沿ってａ1方向あるいはａ2方向に移動され、支持脚１０の長さが微調整される。また、スライド部材１５は、圧縮コイルばね１６による付勢力とガイドリブ３２によって、ケース１１内でのがたつきが抑えられており、良好な操作性が確保されている。
【００３５】
上述したように、支持脚調整装置１によれば、支持脚１０のラック部１９に対して噛合状態と噛合状態が解除された解除状態とに移動可能に設けられた操作部材１２を有する調整機構９を備えることによって、解除状態で支持脚１０が粗調整され、噛合状態で操作部材１２を回転操作することで、電子機器等の設置面に対して支持脚１０を回転させることなく支持脚１０の長さを容易かつ円滑に微調整することが可能になる。
【００３６】
したがって、この支持脚調整装置１によれば、操作部材１２を押し込み操作および回転操作することで、支持脚１０の長さを容易に調整することが可能になるため、操作性が向上され、上述した従来のように設置面と電子機器等の底面との間の狭い間隙に手を挿入して、支持脚自体の設置面近傍の部分を直接手で掴んで回転させるような操作性が乏しい微調整作業を行う必要がなくなり、調整時に設置面に対して電子機器を誤って移動させてしまうことを防止できる。
【００３７】
また、この支持脚調整装置１によれば、電子機器等の設置面に対して支持脚１０を回転させることなく支持脚１０の長さを容易に微調整することができるので、支持脚１０の脚部１０ｂの形状が、円形以外の例えば長方形であるいわゆる横長、縦長の形状やその他の任意の形状に形成された場合であっても、設置面に対して脚部１０ｂの向きが変化する不都合が生じない。したがって、支持脚調整装置１によれば、電子機器の外観のデザイン等の必要に応じて、支持脚１０の脚部１０ｂを任意の形状にすることが可能になり、脚部１０ｂの形状の自由度、電子機器等に対する支持脚１０の配置の自由度が向上される。
【００３８】
（他の実施形態）
上述した実施形態の支持脚調整装置１では、支持脚の脚部の外形が円形状に形成されたが、脚部が他の形状に形成された支持脚を備える他の実施形態の支持脚調整装置の一例について説明する。なお、他の実施形態の支持脚調整装置は、脚部以外の構成が、上述した支持脚調整装置１と同一であるため、同一部材には同一符号を付して説明を省略する。
【００３９】
図８は他の実施形態の支持脚調整装置を示す斜視図である。図８に示すように、支持脚調整装置２が備える支持脚５０は、支軸５０ａと、プロジェクタの設置面に当接される脚部５０ｂとを有しており、脚部５０ｂを除いて支持脚１０と同一に構成されている。脚部５０ｂは、設置面に平行な平面での外形が長方形状に形成された、いわゆる横長の形状に形成されており、設置面に当接される面積が比較的大きく確保されている。
【００４０】
上述したように、支持脚調整装置２によれば、脚部５０ｂが長方形状に形成された支持脚５０を備えることで、設置面に当接される面積が大きくなり、設置時の安定性を向上することができる。すなわち、支持脚調整装置２によれば、支持脚５０の脚部５０ｂがどのような形状であっても、また例えば脚部５０ｂの中心が支軸５０ａの軸線に対して偏心されて設けられている場合であっても、設置面に対して支持脚５０を回転させることなく微調整できる。
【００４１】
最後に、上述した実施形態の支持脚調整機構を備えるプロジェクタの一例について簡単に説明する。
【００４２】
プロジェクタは、図示しないが、スクリーン等の投射面上に映像を投射するための投射レンズを有する投射光学系を備えており、筐体正面側の２箇所または筐体正面側の中央付近の１箇所に、支持脚調整装置が配置されている。
【００４３】
そして、このプロジェクタによれば、投射面上での投射映像の位置を調整する際に、各支持脚調整装置の支持脚を任意の長さに調整することで、設置面に対するプロジェクタの高さや傾きが容易に調整され、投射レンズから出射される投射光軸の傾斜角や投射光軸回りの回転角度を円滑に調整することができる。
【図面の簡単な説明】
【００４４】
【図１】実施形態の支持脚調整装置を示す斜視図である。
【図２】操作部材と支持脚との噛合状態を示す平面図である。
【図３】図２における操作部材と支持脚との噛合状態を示すＡ−Ａ断面図である。
【図４】実施形態の支持脚調整装置を示す分解斜視図である。
【図５】操作部材を示す斜視図である。
【図６】操作部材と支持脚との噛合状態が解除された状態を示す平面図である。
【図７】図６における操作部材と支持脚との噛合状態が解除された状態を示すＢ−Ｂ断面図である。
【図８】他の実施形態の支持脚調整装置を示す斜視図である。
【符号の説明】
【００４５】
１  支持脚調整装置
９  調整機構
１０  支持脚
１１  ケース
１２  操作部材
１３  上ケース
１４  下ケース
１５  スライド部材
１６  圧縮コイルばね
１７，１８  貫通穴
１９  ラック部
２０  ストッパ
２１  ねじ部
２２  軸穴
２４  ガイド突部
２５  係合溝
２６  開口
２８  支持片
２９  支持凹部
３２  ガイドリブ
３３  取り付け用ねじ穴
【図１】
0004632695.tif 000002
【図２】
0004632695.tif 000003
【図３】
0004632695.tif 000004
【図４】
0004632695.tif 000005
【図５】
0004632695.tif 000006
【図６】
0004632695.tif 000007
【図７】
0004632695.tif 000008
【図８】
0004632695.tif 000009